(57)【特許請求の範囲】
【請求項１】
同じ形状を有する物品を複数個重ねて収納，梱包するのに用いられる紙製の包装用箱であって、両側を開放口とする四角形の筒体を箱本体とし、その箱本体の角部辺より両面に亘る一本の切込みを開放口から所定の面内位置に設け、この切込みにより、収納物品を筒内に支持する係止片を開放口の内側に折込みまたは折込み戻し可能に形成すると共に、その箱本体の一面を画する各角部辺より両面に亘る二本一組の切込みを各角部辺で相反する開放口寄りに各々片寄せて一対設け、この二本一組の切込みにより、収納個数の満たない端数の収納物品を押える押圧片を各角部辺から筒内に折込みまたは折込み戻し可能に形成してなることを特徴とする紙製包装用箱。
【請求項２】
上記二本一組の切込みを収納個数の満たない端数分毎に設けたことを特徴とする請求項１に記載の紙製包装用箱。
【発明の詳細な説明】
【０００１】
【発明の属する技術分野】
本発明は、所定の厚みを有する物品を収納，梱包するのに用いられる紙製の包装用箱に関するものである。
【０００２】
【従来の技術】
一般に、紙製の包装用箱としては一面を開放口とする中空な五面体を箱本体とし、差込み代を先端辺に備えた蓋板やフラップ等を開放口に設けて物品を内部に収納，梱包するものが用いられている。
【０００３】
この種の紙製包装用箱は、所定の平面形状に裁断した紙材により組み立てられるが、その裁断時には蓋板やフラップを含む箱全体の他に、箱本体を立体形状に組み立てるのに要する接合代を形取り裁断する必要がある。このため、裁断形状が複雑なものになって組立にも手間が掛るばかりでなく、無駄な裁断余りが生ずるところからコスト高なものになる。また、収納物品の出し入れには蓋板の開け閉めが必要で面倒な手間を要する。
【０００４】
その紙製の包装用箱で同じ形状を有する物品を複数個重ねて収納，梱包するものでは、受注等の都合から、所定の収納個数に満たない端数が生ずると、残余の空間に相応する高さ寸法の板紙を十字状に組み合わせたスリーブ等を収納物品の上に納めて余剰な空間を埋めることが行われている。この出し入れにも、手間が掛ると共に、コスト高を招くことにもなる。
【０００５】
上述した一般的な形態の包装用箱の他に、照明器具やＣＤ−ＲＯＭケース等の特殊な形態の物品を収納する包装用箱としては種々のものが提案されている（特開平７―５２９４３、７―８９５３１、１０―１５２３１０、１０―３１０１２８号）。
【０００６】
【発明が解決しようとする課題】
本発明は、簡単な構造で容易に組み立てられ、収納物品の出し入れも容易に行え、また、収納物品を安定よく納められてコスト的にも安価な紙製の包装用箱を提供することを目的とする。
【０００７】
それに加えて、本発明は同じ形状を有する物品を複数個重ねて収納，梱包するものとし、所定の収納個数に満たない端数が生じても容易に対応可能な紙製の包装用箱を提供することを目的とする。
【０００８】
【課題を解決するための手段】
本発明の請求項１に係る紙製包装用箱においては、同じ形状を有する物品を複数個重ねて収納，梱包するのに用いられるもので、両側を開放口とする四角形の筒体を箱本体とし、その箱本体の角部辺より両面に亘る一本の切込みを開放口から所定の面内位置に設け、この切込みにより、収納物品を筒内に支持する係止片を開放口の内側に折込みまたは折込み戻し可能に形成すると共に、その箱本体の一面を画する両側の角部辺より両面に亘る二本一組の切込みを各角部辺で相反する開放口寄りに各々片寄せて一対設け、この二本一組の切込みにより、収納個数の満たない端数の収納物品を押える押圧片を各角部辺から筒内に折込みまたは折込み戻し可能に形成することにより構成されている。
【０００９】
本発明の請求項５に係る紙製包装用箱においては、二本一組の切込みを収納個数の満たない端数分毎に設けることにより構成されている。
【００１０】
【発明の実施の形態】
以下、添付図面を参照して説明すると、図示実施の形態に係る紙製包装用箱は段ボール等の紙材を基材とし、図１の物品収納時の形態で示すように同じ形状を有する物品Ｒ…を複数個重ねて収納，梱包する、例えば小型の電子部品を多連状に保持したテーピングをプラスチックリールに巻いた外形略円盤状を呈する製品（以下、「収納物品」という。）を３巻収納，梱包するものとして構成されている。
【００１１】
その包装用箱は、両側を開放口１ａ，１ｂとし、四角形の筒体１ｃ〜１ｆを箱本体１として構成されている。この箱本体１は、収納物品Ｒ…の重ね方向を高さ方向Ｈとする（以下、「高さ方向Ｈ」を基準に、各部の名称を付けて説明する。）と、天面板１ｃ，底面板１ｄの面積が側面板１ｅ，１ｆよりも広い横幅のある四面体を呈するよう構成されている。
【００１２】
その箱本体１には、角部辺１ｇ，１ｈより両面１ｃ〜１ｅ、１ｄ〜１ｆに亘る一本の切込み１０ａ〜１３ａを開放口１ａ，１ｂから所定の面内位置に設け、この切込み１０ａ〜１３ａにより、収納物品Ｒ…を筒内に支持する係止片１０ｂ〜１３ｂが開放口１ａ，１ｂの内側に折込みまたは折込み戻し可能に形成されている。
【００１３】
その切込み１０ａ〜１３ａは、箱本体１の対角線上に位置する二つの各角部辺１ｇ，１ｈより両面１ｃ〜１ｅ、１ｄ〜１ｆに亘るよう設けられている。この切込み１０ａ〜１３ａとしては、収納物品Ｒ…の全厚みの少なくとも１／２に当接する係止片１０ｂ〜１３ｂを開放口１ａ，１ｂの内側に折込みまたは折込み戻し可能に形成するとよい。
【００１４】
その奥行き幅は、切込み１０ａ〜１３ａが内端縁として収納物品Ｒ…の側部に当接するよう、収納物品Ｒ…の直径に対して天面板１ｃ，底面板１ｄの面積との相対比で定められる。この他の二つの角部辺１ｉ，１ｊは、切込み１０ａ〜１３ａを設けずに開放口１ａ，１ｂとして形状保持することから、箱全体を堅牢なものに保てて収納物品Ｒ…を安定よく納められる。
【００１５】
その収納物品Ｒ…を筒内に支持する係止片１０ｂ〜１３ｂの切込み１０ａ〜１３ａに加えて、同じ形状を有する物品Ｒ…を複数個重ねて収納，梱包するものとして収納個数の満たない端数が生ずることを考慮し、箱本体１の天面板１ｃを画する両側の角部辺１ｇ，１ｊより両面１ｃ〜１ｅ、１ｃ〜１ｆに亘る二本一組の切込み１４ａ，１４ｂ、１５ａ，１５ｂ乃至は１６ａ，１６ｂ、１７ａ，１７ｂが設けられている。
【００１６】
それは収納個数の満たない端数分毎に、切込み１４ａ，１４ｂ、１５ａ，１５ｂを一つの対とし、切込み１６ａ，１６ｂ、１７ａ，１７ｂを別の対として長さを違えて設けられている。この各対により、収納物品Ｒ…の個数が所定数に満たない端数がある際に、収納物品Ｒを押える押圧片１４ｃ，１５ｃ乃至は１６ｃ，１７ｃを各角部辺１ｇ，１ｊから筒内に折込みまたは折込み戻し可能に構成されている。
【００１７】
その切込み１４ａ，１４ｂ、１５ａ，１５ｂ乃至は１６ａ，１６ｂ、１７ａ，１７ｂは、各対単位で各角部辺において相反する開放口寄りに各々片寄せて設けるとよい。これにより、所定数に満たない端数の収納物品を押える押圧片１４ｃ，１５ｃ乃至は１６ｃ，１７ｃを設けても箱全体を堅牢なものに保て、各対毎の押圧片１４ｃ，１５ｃ乃至は１６ｃ，１７ｃが間隔を隔てることから収納物品を前後両側で安定よく押えられる。
【００１８】
その紙製包装用箱は、図２で示すように接合代１ｋを含めて、筒本体１ｃ〜１ｆを形成する各部を帯状乃至は長方形に形取り裁断すると共に、各切込み１０ａ〜１３ａ、１４ａ，１４ｂ、１５ａ，１５ｂ乃至は１６ａ，１６ｂ、１７ａ，１７ｂを設け、また、各角部辺１ｇ〜１ｊを折り目線として付形した紙材から組み立てられる。このため、無駄な紙材の裁断余りは生じない。
【００１９】
その形取り裁断した紙材は、全体を折り目線として付形した各角部辺１ｇ〜１ｊで折り曲げ、底面板１ｄと側面板１ｅとを接合代１ｋで貼り合せることから、図３の初期形態で示すような箱本体１を有する紙製包装用箱として組み立てられる。この紙製包装用箱は、開放口１ａ，１ｂを物品の出入口とする箱本体１を容易に組み立てられと共に、簡単な構造でコスト的にも安価なものに構成できる。
【００２０】
その紙製包装用箱を用いては、図１の物品収納時の形態で示すように収納物品Ｒ…を挿置する奥手側の係止片１０ｂ，１１ｂを切込み１０ａ，１１ｂで開放口１ａ，１ｂの内側に折り込んでから収納物品Ｒ…を筒内に挿置すればよい。その後に、入り口側の係止片１２ｂ，１３ｂを切込み１２ａ，１３ｂで開放口１ａ，１ｂの内側に折り込めばよい。
【００２１】
その係止片１０ｂ〜１３ｂの折込みだけで、図４で示す（以下、主たる機能部のみを符号で示す。）ように開放口１ａ，１ｂを係止片１０ｂ〜１３ｂで閉鎖できると共に、収納物品Ｒ…を係止片１０ｂ〜１３ｂで側部から支持することにより収納物品Ｒ…を安定よく筒内に収納できる。一方、収納物品Ｒ…の取出し時は係止片１０ｂ，１１ｂまたは１２ｂ，１３ｂのいずれかを折込み戻しすればよい。このため、収納物品Ｒ…の出し入れも容易に行える。
【００２２】
収納個数の満たない端数がある際、例えば総収納数が３個のものにおいて２個でよい場合には、図５で示すように１個分に相当する空間を埋める対の押圧片１４ｃ，１５ｃを各角部辺１ｇ，１ｊから筒内に折り込めばよい。
【００２３】
また、総収納数が３個のものにおいて１個でよい場合には、図６で示すように２個分に相当する空間を埋める対の押圧片１６ｃ，１７ｃを各角部辺１ｇ，１ｊから筒内に折り込めばよい。そのいずれの場合でも、収納物品Ｒ…，Ｒを各押圧片１４ｃ，１５ｃ乃至は１６ｃ，１７ｃで押えられ、また、各押圧片１４ｃ，１５ｃ乃至は１６ｃ，１７ｃが間隔を隔てて収納物品Ｒ…，Ｒを前後両側より押えることから収納物品Ｒ…，Ｒを安定よく筒内に納められる。
【００２４】
この紙製包装用箱は内装箱とし、内部仕切りを有する大型の通い箱に納めて出荷するようにできる。使用済み後は係止片１０ｂ〜１３ｂ、押圧片１４ｃ，１５ｃ乃至は１６ｃ，１７ｃを元に戻すと共に、二つの角部辺１ｇ，１ｈ乃至は１ｉ，１ｊで折り畳めば扁平な形態に保て、通い復便を容易に行えて繰り返し使用できる。また、箱全体が紙材で形成されているため、廃棄時のリサイクルも容易に行える。
【００２５】
上述した実施の形態は同じ形状を有する物品を複数個重ねて収納，梱包するもので説明したが、一つの物品を収納するものとして箱本体１の角部辺１ｇ，１ｈより両面に亘る切込み１０ａ〜１３ａにより、収納物品Ｒ…を筒内に支持する係止片１０ｂ〜１３ｂを形成する形態をのみ適用するようにできる。
【００２６】
また、切込み１４ａ，１４ｂ、１５ａ，１５ｂ乃至は１６ａ，１６ｂ、１７ａ，１７ｂにより、収納物品の個数が所定数に満たない端数毎に、収納物品を押える押圧片１４ｃ，１５ｃ乃至は１６ｃ，１７ｃを設ける場合で説明したが、図７で示す（対の片側のみ図示）ように複数個分に相当する長い切込み１８ａ，１８ｂを設けると共に、各個分に相当する折り目１９ａ，１９ｂを設けて一つの押え片１８ｃを端数毎に兼用するよう設けることもできる。
【００２７】
【発明の効果】
以上の如く、本発明の請求項１に係る紙製包装用箱に依れば、両側を開放口とする四角形の筒体を箱本体とし、その箱本体の角部辺より両面に亘る一本の切込みを開放口から所定の面内位置に設け、この切込みにより、収納物品を筒内に支持する係止片を開放口の内側に折込みまたは折込み戻し可能に形成すると共に、その箱本体の一面を画する両側の角部辺より両面に亘る二本一組の切込みを設け、この二本一組の切込みにより、収納個数の満たない端数の収納物品を押える押圧片を各角部辺から筒内に折込みまたは折込み戻し可能に形成するため、簡単な構造で容易に組み立てられて収納物品の出し入れも容易に行え、また、収納物品を安定よく納められてコスト的にも安価なものに構成できると共に、収納個数の満たない端数の収納物品でも押圧片で容易に安定よく筒内に納められる。
【００２８】
それに加えて、二本一組の切込みを各角部辺で相反する開放口寄りに各々片寄せて設けるため、押圧片が間隔を隔てて収納物品を両側より押えることから収納物品を安定よく筒内に納められる。
【００２９】
本発明の請求項２に係る紙製包装用箱においては、二本一組の切込みを収納個数の満たない端数分毎に設けるため、所定の収納個数に満たない端数が生じても端数毎に容易に対応できる。
【図面の簡単な説明】
【図１】  本発明に係る紙製包装用箱を物品の収納時形態で示す斜視図である。
【図２】  同包装用箱を組み立てるのに用いられる紙材の裁断形態を示す平面図である。
【図３】  本発明に係る紙製包装用箱の組立形態を示す斜視図である。
【図４】  本発明に係る紙製包装用箱を物品の収納形態で示す斜視図である。
【図５】  本発明に係る紙製包装用箱で一例の収納個数に満たない物品の収納形態を示す斜視図である。
【図６】  本発明に係る紙製包装用箱で別の例の収納個数に満たない物品の収納形態を示す斜視図である。
【図７】  本発明に係る紙製包装用箱で変形例として設けられる収納個数に満たない物品の押え片を示す平面図である。
【符号の説明】
Ｒ…            収納物品
１              箱本体
１ａ，１ｂ      開放口
１ｃ〜１ｆ      筒体
１ｇ〜１ｊ      角部辺
１０ａ〜１３ａ  一本の切込み
１０ｂ〜１３ｂ  係止片
１４ａ，１４ｂ、
１５ａ，１５ｂ    二本組の切込み
１４ｃ，１５ｃ  押え片
１６ａ，１６ｂ、
１７ａ，１７ｂ    二本組の切込み
１６ｃ，１７ｃ  押え片
１８ａ，１８ｂ    二本組の切込み
１８ｃ  押え片
【図１】
0004419277.tif 000002
【図２】
0004419277.tif 000003
【図３】
0004419277.tif 000004
【図４】
0004419277.tif 000005
【図５】
0004419277.tif 000006
【図６】
0004419277.tif 000007
【図７】
0004419277.tif 000008